【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
第１の通信ネットワークの電気通信資源が割当てに使用可能であると通信サーバ内で判定し、
前記電気通信資源が割当てに使用可能であることおよび前記電気通信資源に関連する地理的領域を複数の通信ネットワークに知らせる第１の通信信号をブロードキャストし、
前記電気通信資源の使用について複数の通信ネットワーク内の前記第１の通信ネットワークと第２の通信ネットワークとの間の資源リース方式を取り決め、
前記資源リース方式内で定められる地理的境界に基づいて前記第１の通信ネットワークと前記第２の通信ネットワークとの間のモバイル装置のハンドオーバを調整し、
前記第２の通信ネットワークによるアクセスおよび使用のために前記第１の通信ネットワークの前記電気通信資源を割り当て、
割り当てられた電気通信資源の使用を前記地理的領域内で開始してもよいことを前記第２の通信ネットワークに知らせる第２の通信信号をブロードキャストし、
前記第２の通信ネットワークによる使用のために割り当てられた前記電気通信資源を明らかにするトランザクションをトランザクションデータベース内に記録すること
を含む、動的スペクトル仲裁（ＤＳＡ）方法。
【請求項２】
前記第１の通信ネットワーク内の第１の動的スペクトルコントローラサーバから資源割当方式に関する資源構成情報を受け取り、
前記第２の通信ネットワーク内の第２の動的スペクトルコントローラサーバに前記資源構成情報を送ること
をさらに含む、請求項１に記載のＤＳＡ方法。
【請求項３】
前記第１の通信ネットワーク内の第１の動的スペクトルコントローラサーバから地理的領域に基づく前記電気通信資源の可用性に関する調整情報を受け取り、
前記第２の通信ネットワーク内の第２の動的スペクトルコントローラサーバに前記調整情報を送ること
をさらに含む、請求項１に記載のＤＳＡ方法。
【請求項４】
前記地理的領域に対する前記加入者装置の近さおよび前記資源リース方式内に含まれる情報に基づき、前記第２の通信ネットワークの加入者装置の有効性を判定すること
をさらに含む、請求項１に記載のＤＳＡ方法。
【請求項５】
前記地理的領域に対する前記加入者装置の近さおよび前記資源リース方式内に含まれる条件に基づき、前記第１の通信ネットワーク内のコンポーネントへの通信リンクを確立するように前記第２の通信ネットワークの加入者装置に命令すること
をさらに含む、請求項１に記載のＤＳＡ方法。
【請求項６】
前記地理的領域に対する前記加入者装置の近さおよび前記加入者装置が使用可能なサービス品質水準に基づき、前記第２の通信ネットワークの加入者装置の有効性を判定すること
をさらに含む、請求項１に記載のＤＳＡ方法。
【請求項７】
前記地理的領域に対する前記加入者装置の近さおよび前記加入者装置が使用可能なサービス品質水準に基づき、前記第１の通信ネットワーク内のコンポーネントへの通信リンクを確立するように前記第２の通信ネットワークの加入者装置に命令すること
をさらに含む、請求項１に記載のＤＳＡ方法。
【請求項８】
前記地理的領域に対する前記加入者装置の近さに基づき、前記第２の通信ネットワークの加入者装置にネットワークを変更するように命令すること
をさらに含む、請求項１に記載のＤＳＡ方法。
【請求項９】
前記電気通信資源にアクティブに接続している前記第２の通信ネットワークの加入者装置にネットワークを変更するように命令すること
をさらに含む、請求項１に記載のＤＳＡ方法。
【請求項１０】
前記地理的領域に対する前記加入者装置の近さに基づき、前記割り当てられた電気通信資源を使用している前記第２の通信ネットワークの加入者装置に対し、前記第１の通信ネットワーク内の別の資源に接続するように命令すること
をさらに含む、請求項１に記載のＤＳＡ方法。
【請求項１１】
電気通信資源の動的スペクトル仲裁を実現するための通信サーバであって、
第１の通信ネットワークおよび第２の通信ネットワークと通信するためのネットワーク通信回路と、
メモリと、
前記メモリおよび前記ネットワーク通信回路に結合されるプロセッサであって、
前記第１の通信ネットワークの電気通信資源が割当てに使用可能であると判定すること、
前記電気通信資源が割当てに使用可能であることおよび前記電気通信資源に関連する地理的領域を複数の通信ネットワークに知らせる第１の通信信号をブロードキャストすること、
前記電気通信資源の使用について複数の通信ネットワーク内の前記第１の通信ネットワークと第２の通信ネットワークとの間の資源リース方式を取り決めること、
前記資源リース方式内で定められる地理的境界に基づいて前記第１の通信ネットワークと前記第２の通信ネットワークとの間のモバイル装置のハンドオーバを調整すること、
前記第２の通信ネットワークによるアクセスおよび使用のために前記第１の通信ネットワークの前記電気通信資源を割り当てること、
割り当てられた電気通信資源の使用を前記地理的領域内で開始してもよいことを前記第２の通信ネットワークに知らせる第２の通信信号をブロードキャストすること、および
前記第２の通信ネットワークによる使用のために割り当てられた前記電気通信資源を明らかにするトランザクションをトランザクションデータベース内に記録すること
を含む操作を実行するためのプロセッサ実行可能命令で構成される、プロセッサと
を含む、通信サーバ。
【請求項１２】
前記第１の通信ネットワーク内の第１の動的スペクトルコントローラサーバから資源割当方式に関する資源構成情報を受け取ること、および
前記第２の通信ネットワーク内の第２の動的スペクトルコントローラサーバに前記資源構成情報を送ること
をさらに含む操作を実行するためのプロセッサ実行可能命令で前記プロセッサが構成される、請求項１１に記載の通信サーバ。
【請求項１３】
前記第１の通信ネットワーク内の第１の動的スペクトルコントローラサーバから地理的領域に基づく前記電気通信資源の可用性に関する調整情報を受け取ること、および
前記第２の通信ネットワーク内の第２の動的スペクトルコントローラサーバに前記調整情報を送ること
をさらに含む操作を実行するためのプロセッサ実行可能命令で前記プロセッサが構成される、請求項１１に記載の通信サーバ。
【請求項１４】
前記地理的領域への加入者デバイスの近接性及び前記資源リース方式に含まれる情報に基づいて、前記第２の通信ネットワークの加入者デバイスの有効性を決定すること
をさらに含む操作を実行するためのプロセッサ実行可能命令で前記プロセッサが構成される、請求項１１に記載の通信サーバ。
【請求項１５】
前記第２の通信ネットワークの加入者デバイスに対し、前記地理的領域への前記加入者デバイスの近接性及び前記資源リース方式に含まれる条件に基づいて、前記第１の通信ネットワーク内のコンポーネントへの通信リンクを確立するように指示すること
をさらに含む操作を実行するためのプロセッサ実行可能命令で前記プロセッサが構成される、請求項１１に記載の通信サーバ。
【請求項１６】
動的スペクトル仲裁（ＤＳＡ）操作をプロセッサに実行させるように構成されるプロセッサ実行可能ソフトウェア命令を記憶する、非一時的コンピュータ読み取り可能な記憶媒体であって、前記操作が、
第１の通信ネットワークの電気通信資源が割当てに使用可能であると判定すること、
前記電気通信資源が割当てに使用可能であることおよび前記電気通信資源に関連する地理的領域を複数の通信ネットワークに知らせる第１の通信信号をブロードキャストすること、
前記電気通信資源の使用について複数の通信ネットワーク内の前記第１の通信ネットワークと第２の通信ネットワークとの間の資源リース方式を取り決めること、
前記資源リース方式内で定められる地理的境界に基づいて前記第１の通信ネットワークと前記第２の通信ネットワークとの間のモバイル装置のハンドオーバを調整すること、
前記第２の通信ネットワークによるアクセスおよび使用のために前記第１の通信ネットワークの前記電気通信資源を割り当てること、
割り当てられた電気通信資源の使用を前記地理的領域内で開始してもよいことを前記第２の通信ネットワークに知らせる第２の通信信号をブロードキャストすること、および
前記第２の通信ネットワークによる使用のために割り当てられた前記電気通信資源を明らかにするトランザクションをトランザクションデータベース内に記録すること
を含む、非一時的コンピュータ読み取り可能な記憶媒体。
【請求項１７】
前記第１の通信ネットワーク内の第１の動的スペクトルコントローラサーバから資源割当方式に関する資源構成情報を受け取ること、および
前記第２の通信ネットワーク内の第２の動的スペクトルコントローラサーバに前記資源構成情報を送ること
をさらに含む操作をプロセッサに実行させるように前記記憶されたプロセッサ実行可能ソフトウェア命令が構成される、請求項１６に記載の非一時的コンピュータ読み取り可能な記憶媒体。
【請求項１８】
前記第１の通信ネットワーク内の第１の動的スペクトルコントローラサーバから地理的領域に基づく前記電気通信資源の可用性に関する調整情報を受け取ること、および
前記第２の通信ネットワーク内の第２の動的スペクトルコントローラサーバに前記調整情報を送ること
をさらに含む操作をプロセッサに実行させるように前記記憶されたプロセッサ実行可能ソフトウェア命令が構成される、請求項１６に記載の非一時的コンピュータ読み取り可能な記憶媒体。
【請求項１９】
前記地理的領域への加入者デバイスの近接性及び前記資源リース方式に含まれる情報に基づいて、前記第２の通信ネットワークの加入者デバイスの有効性を決定すること
をさらに含む操作をプロセッサに実行させるように前記記憶されたプロセッサ実行可能ソフトウェア命令が構成される、請求項１６に記載の非一時的コンピュータ読み取り可能な記憶媒体。
【請求項２０】
前記第２の通信ネットワークの加入者デバイスに対し、前記地理的領域への前記加入者デバイスの近接性及び前記資源リース方式に含まれる条件に基づいて、前記第１の通信ネットワーク内のコンポーネントへの通信リンクを確立するように指示すること
をさらに含む操作をプロセッサに実行させるように前記記憶されたプロセッサ実行可能ソフトウェア命令が構成される、請求項１６に記載の非一時的コンピュータ読み取り可能な記憶媒体。